(57)【要約】      （修正有）【課題】檻に収容された愛玩動物からの抜け毛が檻の外部へ飛散しにくい愛玩動物用の檻の提供。【解決手段】檻１００は、愛玩動物の収容空間を形成する本体２００と、本体２００に装着されたフィルタ３００と、フィルタ３００に対して装着された、収容空間の内部から外部に向けてフィルタ３００を通過する空気流を強制的に発生させるための吸引装置４００とを備えている。収容空間は、吸引装置４００の作動により外部に向けた空気流が発生する。収容された愛玩動物からの抜け毛は、発生した空気流に案内されることでフィルタ３００に向けて浮遊し、フィルタ３００により捕捉される。この結果、本体２００から外部への抜け毛の飛散が抑えられる。【選択図】図１
2018117599.tif 000002
【特許請求の範囲】
【請求項１】
愛玩動物の収容空間を形成する本体と、
前記本体に装着された、前記愛玩動物からの抜け毛を捕捉可能なフィルタと、
前記フィルタに対して装着された、前記収容空間の内部から外部に向けて前記フィルタを通過する空気流を強制的に発生させるための吸引装置と、
を備えた愛玩動物用の檻。
【請求項２】
前記吸引装置が軸流ファンにより前記空気流を形成するものである、請求項１に記載の愛玩動物用の檻。
【請求項３】
前記本体は、前記収容空間と外部とを連絡する開口が制限されている、請求項１または２に記載の愛玩動物用の檻。
【請求項４】
前記本体の二箇所以上に前記フィルタが装着されている、請求項１から３のいずれかに記載の愛玩動物用の檻。
【請求項５】
少なくとも一部が柵状に形成された檻に収容した愛玩動物からの抜け毛が前記檻から外部に飛散するのを抑制するための飛散抑制装置であって、
前記檻の柵状部分に対して装着可能な、前記愛玩動物からの抜け毛を捕捉可能なフィルタを有する板状部材と、
前記板状部材に対して装着された、前記檻の内部から外部に向けて前記フィルタを通過する空気流を強制的に発生させるための吸引装置と、
を備えた抜け毛の飛散抑制装置。
【発明の詳細な説明】
【技術分野】
【０００１】
本発明は、動物用の檻、特に、愛玩動物用の檻に関する。
【背景技術】
【０００２】
犬や猫などの愛玩動物を屋内で飼育する場合、愛玩動物のしつけや愛玩動物に適した生活環境の提供のために、飼い主と愛玩動物との居住空間を分けるための檻を用いるのが一般的である。この種の檻として、主に、格子状や連子状の柵で形成されたものが提供されている（例えば、特許文献１。）。
【０００３】
愛玩動物は、体毛において換毛期に限らず日常的に自然な抜け替りが多く、多くの抜け毛が発生する。また、ブラシがけや洗身後のドライヤー処理などの手入れによっても多くの抜け毛が発生する。これらの抜け毛は、人毛よりも軽く、空気中に浮遊しやすいことから、檻を越えて飛散し、飼い主の生活環境に広範囲にわたって付着することが多い。そこで、飛散した抜け毛を掃除機やモップなどを用いて除去することになるが、絨毯や布張りの調度品或いは衣類に付着した抜け毛は繊維に絡みやすいために除去しにくいことから、抜け毛を効果的に除去するための専用の掃除機や多様な器具が提案されている状況である（例えば、特許文献２−４参照。）。
【先行技術文献】
【非特許文献】
【０００４】
【特許文献１】実用新案登録第３０６０６９８号公報
【特許文献２】特開２０１６−７２４４号公報
【特許文献３】特開２０１４−１５８５６４号公報
【特許文献４】特開２０１１−１３０７５２号公報
【発明の概要】
【発明が解決しようとする課題】
【０００５】
本発明は、檻に収容された愛玩動物からの抜け毛が檻の外部へ飛散しにくいようにするものである。
【課題を解決するための手段】
【０００６】
本発明は、愛玩動物用の檻に関するものであり、この檻は、愛玩動物の収容空間を形成する本体と、本体に装着された、愛玩動物からの抜け毛を捕捉可能なフィルタと、フィルタに対して装着された、収容空間の内部から外部に向けてフィルタを通過する空気流を強制的に発生させるための吸引装置とを備えている。
【０００７】
本発明の檻において、本体により形成される収容空間は、吸引装置の作動により外部に向けた空気流が発生する。愛玩動物からの抜け毛は、発生した空気流に案内されることでフィルタに向けて浮遊し、フィルタにより捕捉される。この結果、本体により形成された収容空間から外部への抜け毛の飛散が抑えられる。
【０００８】
本発明において用いられる吸引装置は、例えば、軸流ファンにより空気流を形成するものである。また、本体は、通常、収容空間と外部とを連絡する開口が制限されている。
【０００９】
本発明の檻は、本体の二箇所以上にフィルタが装着されていてもよい。
【００１０】
他の観点に係る本発明は、少なくとも一部が柵状に形成された檻に収容した愛玩動物からの抜け毛が檻から外部に飛散するのを抑制するための飛散抑制装置に関するものである。この飛散抑制装置は、檻の柵状部分に対して装着可能な、愛玩動物からの抜け毛を捕捉可能なフィルタを有する板状部材と、板状部材に対して装着された、檻の内部から外部に向けてフィルタを通過する空気流を強制的に発生させるための吸引装置とを備えている。
【００１１】
檻の柵状部分に対して板状部材を装着した状態で吸引装置を作動すると、檻の内部から外部に向けた空気流が発生する。愛玩動物からの抜け毛は、発生した空気流に案内されることでフイルタに向けて浮遊し、フィルタにより捕捉される。この結果、檻の外部への抜け毛の飛散が抑えられる。
【発明の効果】
【００１２】
本発明によれば、愛玩動物用の檻から外部への抜け毛の飛散を抑えることができる。
【図面の簡単な説明】
【００１３】
【図１】本発明の実施の一形態に係る愛玩動物用の檻の斜視図。
【図２】前記檻の仕切壁部の平面図。
【図３】本発明の実施の一形態に係る飛散抑制装置の斜視図。
【図４】愛玩動物用の檻に対する前記飛散抑制装置の適用方法を示す図。
【図５】愛玩動物用の檻に対して前記飛散抑制装置を固定するための固定具の斜視図。
【図６】前記固定具を用いた前記飛散抑制装置の固定状態を示す一部断面部分平面図。
【発明を実施するための形態】
【００１４】
図１、２を参照し、本発明の実施の一形態に係る檻を説明する。図１、２において、檻１００は、犬や猫などの愛玩動物を室内で飼育するために用いられるものであり、本体２００、フィルタ３００および吸引装置４００を主に備えている。
【００１５】
本体２００は、室内において愛玩動物の居住空間を形成する仕切壁部２１０と、天板２２０とを備えている。仕切壁部２１０は、上部２１１および底部２１２が開口する、合成樹脂製の板材を用いて形成された筒状の立方体形のものであり、檻１００のそれぞれ正面を形成する正面板２２０、背面を形成する背面板２３０および各側面を形成する側面板２４０、２５０を備えている。
【００１６】
正面板２２０は、檻１００に愛玩動物を出入りさせるための出入り口２２１が設けられており、この出入り口２２１は扉２２２を有している。扉２２２は、一方の側縁の上部付近および下部付近が蝶番２２３により開閉可能に取付けられている。また、正面板２２０は、扉２２２を除く部位に多数の穿孔２２４が設けられている。穿孔２２４は、檻１００の内外の通気を確保するためのものである。
【００１７】
正面板２２０の内面は、幅方向の両端部のそれぞれにおいて、高さ方向に延びる第１固定部材２２５が装着されている。各第１固定部材２２５は、正面板２２０に対して側面板２４０、２５０を取り付けるためのものであり、水平方向の断面がコ字状に形成されることで縦方向に延びる溝２２６が形成されている。
【００１８】
背面板２３０は、幅方向および高さ方向の略中央部に略正方形状の開口部２３１を有している。背面板２３０の内面は、幅方向の両端付近のそれぞれにおいて、高さ方向に延びる第２固定部材２３５が装着されている。各第２固定部材２３５は、背面板２３０に対して側面板２４０、２５０を取り付けるためのものであり、水平方向の断面がコ字状に形成されることで縦方向に延びる溝２３６が形成されている。
【００１９】
側面板２４０、２５０は、いずれも両側縁部が正面板２２０側の第１固定部材２２５の溝２２６と背面板２３０側の第２固定部材２３５の溝２３６とに嵌め込まれている。これにより、正面板２２０、背面板２３０および側面板２４０、２５０は、仕切壁部２１０が自立可能なように一体化されている。
【００２０】
天板２２０は、合成樹脂製であり、仕切壁部２１０の上部２１１を閉鎖するよう取り外し可能に載置されている。
【００２１】
上述の本体２００は、内部の居住空間に収容された愛玩動物を視認できるよう、少なくとも正面板２２０においてポリカーボネート等の透明な合成樹脂板が用いられている。
【００２２】
フィルタ３００は、背面板２３０の開口部２３１よりも大きい正方形状に形成されており、背面板２３０の内面側において、開口部２３１の全体を覆うように配置されている。このように配置されたフィルタ３００は、開口部２３１の周縁部において、背面板２３０の内面と、当該内面に対して着脱可能に装着された枠体３１０とに挟まれることで、開口部２３１に対して装着されている。
【００２３】
フィルタ３００は、愛玩動物からの抜け毛を捕捉可能なものであれば特に材質や形態などが限定されるものではなく、例えば、合成繊維、天然繊維若しくはガラス繊維またはこれらの繊維を適宜組合せた混合繊維による不織布である。
【００２４】
吸引装置４００は、換気扇であり、背面板２３０の外側から開口部２３１に対して配置された角筒状の筐体４１０と、筐体４１０内に配置された送風ファンとしてのプロペラファン４２０とを有している。プロペラファン４２０は、支持杆４３０により筐体４１０内の中央に保持されたモータ４４０により回転駆動される軸流ファンであり、本体２００の内部から外部に向けて流れる空気流を強制的に発生させるためのものである。
【００２５】
檻１００は、通常、図１に示すように、室内の床に設置した平板状のトレー５００上に仕切壁部２１０の底部２１２側を載置することで使用する。
【００２６】
檻１００において、吸引装置４００のモータ４４０を作動すると、プロペラファン４２０が回転する。これにより、本体２００において、出入り口２２１や穿孔２２４から流入する空気がフィルタ３００を通じて外部に流れる空気流が生じる。檻１００内に収容された愛玩動物からの抜け毛は、浮遊しながらこの空気流に案内され、空気流がフィルタ３００を通過する際にフィルタ３００により捕捉されることから、檻１００の外部への飛散が抑えられる。ここで、本体２００内の収容空間は、背面、側面および天井がそれぞれ背面板２３０、側面板２４０、２５０および天板２２０により閉鎖されており、外部と連絡する開口が正面板２２０の出入り口２２１および穿孔２２４に制限されていることから、収容空間内で発生した抜け毛は、上述の空気流により案内されやすく、出入り口２２１や穿孔２２４からも外部に飛散しにくい。
【００２７】
なお、吸引装置４００は、常時作動させておくこともできるが、ブラシ掛けや洗身後のドライヤー処理などの抜け毛が発生しやすいときのみに作動させることもできる。
【００２８】
フィルタ３００は、抜け毛を捕捉するに従って目詰まりすることから、捕捉した抜け毛を適宜除去するのが好ましいが、背面板２３０から枠体３１０を取り外すことで脱着することができ、それによって交換することもできる。
【００２９】
上述の実施の形態において、正面板２２０は、開閉可能な出入り口を設けた格子状または連子状等の柵状に形成することもできる。また、背面板２３０および側面板２４０、２５０についても、一部または全体を柵状に形成することができる。但し、背面板２３０および側面板２４０、２５０は、抜け毛の飛散抑制効果の点において、全面を閉鎖した壁とするのが好ましい。
【００３０】
また、本体２００は、二箇所以上にフィルタ３００を装着することもできる。この場合、フィルタ３００毎に吸引装置４００を個別に装着してもよいし、数箇所のフィルタ３００により一台の吸引装置４００を共用してもよい。後者の場合は、通常、各箇所のフィルタ３００から吸引装置４００へ延びるダクトを装着し、吸引装置４００の送風ファンによってこのダクト内に静圧を発生させて所要の空気流が生じるようにする。この場合の送風ファンは、ダクト内に高い静圧を発生させやすいシロッコファン等の遠心ファンを用いるのが好ましい。
【００３１】
フィルタ３００を開口部２３１に対して装着するための枠体３１０は、本体２００内に露出するフィルタ３００の表面を覆う格子状や連子状に形成されていてもよい。この場合、本体２００内に収容した愛玩動物による噛みちぎり等によりフィルタ３００が破損するのを抑えることができる。
【００３２】
上述の実施の形態に係る檻１００は、本体２００が立方体状に形成されており、平面形状が矩形状であるが、本体２００の平面形状はこれに限定されるものではなく、三角形や五角形以上の多角形であってもよいし、円形であってもよい。
【００３３】
図３を参照し、本発明の実施の一形態に係る飛散抑制装置を説明する。図３において、飛散抑制装置５００は、少なくとも一部が柱を格子状や連子状に並べた柵状に形成された檻に収容した愛玩動物からの抜け毛が檻から外部に飛散するのを抑制するために用いられるものであり、板状部材６００、フィルタ７００および吸引装置８００を主に備えている。
【００３４】
板状部材６００は、矩形状に形成された木製や合成樹脂製の剛性体であり、幅方向および高さ方向の略中央部に略正方形状の開口部６１０を有している。また、板状部材６００の幅方向の両端付近において、一対の貫通孔６２０、６２０が幅方向に設けられている。一対の貫通孔６２０、６２０は、板状部材６００の縦方向に複数列（図３においては三列）設けられている。
【００３５】
フィルタ７００は、板状部材６００の開口部６１０よりも大きい正方形状に形成されており、板状部材６００の表面に対し、開口部６１０の全体を覆うように配置されている。このように配置されたフィルタ７００は、開口部６１０の周縁部において、先に説明した檻１００において用いられるフィルタ３００と同様に、板状部材６００の表面と、当該表面に対して着脱可能に装着された枠体７１０とに挟まれることで、開口部６１０に対して装着されている。
【００３６】
吸引装置８００は、換気扇であり、板状部材６００の開口部６１０に対し、フィルタ７００の装着面の裏側から配置された角筒状の筐体８１０と、筐体８１０内に配置された送風ファンとしてのプロペラファン（図示省略）とを有する、先に説明した檻１００において用いられる吸引装置４００と同様のものである。
【００３７】
飛散抑制装置５００は、図４に示すように、愛玩動物を収容するための、立法体形状に形成された柵状の檻９００の背面の外側に装着される（図４において、天井部分を形成する格子状または連子状に配列された柱材は表示を省略している。）。ここでは、図５に示すような固定具９１０を用いる。固定具９１０は、板状の部材であり、板状部材６００に設けた一対の貫通孔６２０、６２０と等間隔に一対のボルト孔９２０、９２０が形成されている。
【００３８】
檻９００に対し、固定具９１０を用いて飛散抑制装置５００を装着するときは、檻９００の背面に対して板状部材６００を当接し、図６に示すように、一対の貫通孔６２０、６２０のそれぞれとボルト孔９２０、９２０のそれぞれとが対向するよう檻９００の内側から固定具９１０を配置する。次に、固定具９１０の各ボルト孔９２０にボルト９３０を挿入し、このボルト９３０を板状部材６００の対応する貫通孔６２０に挿入する。そして、貫通孔６２０を貫通した各ボルト９３０の先端にナット９４０を装着して締め付けると、檻９００の背面の縦柱９５０が板状部材６００と固定具９１０との間に挟まれて締め付けられた状態となり、檻９００の背面に対して板状部材６００が安定に固定される。
【００３９】
檻９００に装着した飛散抑制装置５００において、吸引装置８００のプロペラファンを作動すると、檻９００内において、フィルタ７００を通じて外部に流れる空気流が生じる。檻９００内に収容された愛玩動物からの抜け毛は、浮遊しながらこの空気流に案内され、空気流がフィルタ７００を通過する際にフィルタ７００により捕捉されることから、檻９００の外部への飛散が抑えられる。なお、飛散抑制装置５００を装着した檻９００は、外部への抜け毛の飛散をより効果的に抑制できるようにするため、両側面および天井面も板材を用いて閉鎖するのが好ましい。
【００４０】
板状部材６００は、二箇所以上にフィルタ７００を装着したものであってもよい。この場合、フィルタ７００毎に吸引装置８００を個別に装着してもよいし、各フィルタ７００により一台の吸引装置８００を共用してもよい。後者の場合は、通常、板状部材６００の裏面側において、各フィルタ７００から吸引装置８００へ延びるダクトを配設し、吸引装置８００の送風ファンによってこのダクト内に静圧を発生させて所要の空気流が生じるようにする。この場合の送風ファンは、ダクト内に高い静圧を発生させやすい遠心ファンを用いるのが好ましい。
【００４１】
上述の実施の形態に係る飛散抑制装置５００は、可撓性を有する材料を用いて板状部材６００を形成した場合、平面形状が円形や多角形状に形成された柵状の檻の外周面に対しても追従させて装着することができる。この場合、フィルタ７００を板状部材６００に対して装着するための枠体７１０についても、板状部材６００およびフィルタ７００の撓みに追従可能な可撓性を有する材料からなるものを用いる。また、板状部材６００に対して装着する吸引装置８００は、フィルタ７００に対してダクトを通じて連絡するものを用いるのが好ましい。
【符号の説明】
【００４２】
１００、９００        檻
２００                本体
３００、７００        フィルタ
４００、８００        吸引装置
【図１】
2018117599.tif 000003
【図２】
2018117599.tif 000004
【図３】
2018117599.tif 000005
【図４】
2018117599.tif 000006
【図５】
2018117599.tif 000007
【図６】
2018117599.tif 000008